(57)【要約】【課題】  親装置から子装置に無線で正確な時刻を伝達するシステムにおいて、攻撃電波や妨害電波の影響を受けにくくする。【構成】  最上位の子装置３Ａは、計時部３４と、計時時刻を用いてデータ処理を実行するものであり、上位装置から受信した時刻情報に基づいて計時部３４の計時時刻を修正する制御部３３と、受信器３１と、下位の子装置の時刻を修正するために時刻情報を無線送信する送信器３８と、受信信号の強度を測定する電波強度測定部６１と、測定強度を記憶する電波強度記憶部６２と、今回の受信信号の強度が、記憶されている複数の強度の平均の標準偏差値外の場合に異常な信号と判別して、計時部３４の修正と下位装置への送信を禁止する異常電波判別部６３と、異常があったことを上位装置に通知する異常状態通報部６４とを備える。【選択図】図４
2005337990.tif 000002
【特許請求の範囲】
【請求項１】
計時機能を備える親装置から無線で時刻情報を受信して、自己の計時機能による計時時刻を修正する複数の子装置を含む無線システムであって、
前記子装置は、
計時手段と、
前記計時手段の計時時刻を用いて所定のデータ処理を実行する処理制御手段と、
時刻情報を含む所定の無線信号を受信する受信手段と、
前記受信された無線信号に含まれる時刻情報に基づいて、前記計時手段の計時時刻を修正する修正手段と、
前記修正手段により修正された前記計時手段の計時時刻に基づいて、他の子装置の時刻を修正するための時刻情報を含む無線信号を送信する送信手段と、
前記受信手段で受信した無線信号の強度を測定する測定手段と、
前記測定手段により測定された強度を示す強度情報を順次記憶する強度情報記憶手段と、
前記強度情報記憶手段に記憶された複数の強度情報と前記受信手段で受信された無線信号を前記測定手段で測定した強度とに基づいて、受信した無線信号が異常信号か否かを判別する異常信号判別手段、
を有することを特徴とする無線システム。
【請求項２】
前記異常信号判別手段は、前記強度情報記憶手段に記憶された複数の強度情報の履歴に基づいて定められる所定範囲から、前記受信手段で受信された無線信号を前記測定手段で測定した強度が逸脱している場合は異常信号として判別する、ことを特徴とする請求項１に記載の無線システム。
【請求項３】
前記異常信号判別手段は、前記強度情報記憶手段に記憶された複数の強度情報が示す強度の平均値を求め、求めた平均値に基づいて、前記所定範囲を定めることを特徴とする請求項２に記載の無線システム。
【請求項４】
前記所定範囲は、前記強度情報記憶手段に記憶された複数の強度情報が示す強度の平均値から、その標準偏差値以内である、ことを特徴とする請求項３に記載の無線システム。
【請求項５】
前記異常信号判別手段は、前記強度情報記憶手段に記憶された複数の強度情報が示す強度と、前記受信手段で受信された無線信号を前記測定手段で測定した強度と、を比較し、多数決論理に基づいて、異常信号であるか否かを判別する、ことを特徴とする請求項１に記載の無線システム。
【請求項６】
前記異常信号判別手段は、前記受信手段で受信した無線信号を前記異常信号として判別した場合、前記修正手段による修正を禁止することを特徴とする請求項１乃至５のいずれか１つに記載の無線システム。
【請求項７】
前記異常信号判別手段は、前記受信手段で受信した無線信号を前記異常信号として判別した場合、前記計時手段の計時時刻に基づく前記時刻情報の送信を禁止する、ことを特徴とする請求項１乃至６のいずれか１つに記載の無線システム。
【請求項８】
前記異常信号判別手段は、前記異常信号の検出が連続して所定回数発生した場合、若しくはその他の予め定められた事態が発生した場合、この無線システムを管理する人間若しくは他の機器に通知するための通知手段を有することを特徴とする請求項１乃至７のいずれか１つに記載の無線システム。
【請求項９】
前記強度情報記憶手段に記憶された強度情報を、前記無線システムを管理する人間若しくは他の機器に通知するための手段を有することを特徴とする請求項１乃至８のいずれか１つに記載の無線システム。
【請求項１０】
前記子装置はさらに、前記異常信号を検出した事態の履歴を記憶する履歴記憶手段と、前記異常信号を検出した履歴を直接又は他の前記子装置を介して前記親装置に伝送する手段を備える、ことを特徴とする請求項１乃至９のいずれか１つに記載の無線システム。
【請求項１１】
前記子装置は、無線タグ又は情報端末から構成される、ことを特徴とする請求項１乃至１０のいずれか１つに記載の無線システム。
【請求項１２】
前記子装置は、データ記憶手段とパッケージとを備える無線タグから構成され、前記処理制御手段は、所定のトリガ信号に応答して、前記計時手段の計時時刻を示す計時情報を前記データ記憶手段に記憶し、前記データ記憶手段に記憶した時刻情報を直接又はデータ処理して、無線で外部に出力する手段を備え、前記パッケージは無線信号を透過可能な材料から構成され、全体を封入する、ことを特徴とする請求項１乃至１０のいずれか１つに記載の無線システム。
【請求項１３】
前記子装置は、データ記憶手段と入力装置と表示装置とを備えるデータ処理装置から構成され、
前記処理制御手段は、前記受信手段又は前記入力装置からの第１の指示に応答して、前記計時手段の計時時刻を示す計時情報を前記データ記憶手段に記憶し、前記受信手段又は入力装置からの第２の指示に応答して、前記データ記憶手段に記憶した時刻情報を直接又はデータ処理して、外部に出力する手段を備える、ことを特徴とする請求項１乃至１０のいずれか１つに記載の無線システム。
【請求項１４】
前記処理制御手段は、前記計時手段の計時時刻を用いて、時分割通信処理を行う、ことを特徴とする請求項１乃至１３のいずれか１つに記載の無線システム。
【請求項１５】
計時手段と、
前記計時手段の計時時刻を用いて所定のデータ処理を実行する処理制御手段と、
時刻情報を含む所定の無線信号を受信する受信手段と、
前記受信手段で受信された無線信号に含まれる時刻情報に基づいて、前記計時手段の計時時刻を修正する修正手段と、
前記修正手段により修正された前記計時手段の計時時刻に基づいて、他の無線装置の時刻を修正するための時刻情報を含む無線信号を送信する送信手段と、
前記受信手段で受信した無線信号の強度を測定する測定手段と、
前記測定手段により測定された強度を示す強度情報を記憶する強度情報記憶手段と、
前記強度情報記憶手段に記憶された複数の強度情報と前記受信手段で受信された無線信号を前記測定手段で測定した強度とに基づいて、受信した無線信号が異常信号か否かを判別する異常信号判別手段、
を有することを特徴とする計時機能を有する無線装置。
【請求項１６】
無線通信機能と計時機能とを備えるコンピュータを、
時刻情報を含む無線信号を受信する受信手段、
前記受信手段により受信された無線信号に含まれる時刻情報に基づいて自己の時刻を修正する修正手段、
修正された自己の時刻に基づいて他の装置の計時時刻を修正するための時刻情報を無線信号で送信する送信手段、
前記受信手段で受信した無線信号の強度を測定する測定手段、
前記測定手段により測定された無線信号の強度を示す強度情報を複数記憶する信号強度記憶手段、
前記信号強度記憶手段に記憶された複数の強度情報が示す強度の平均値を計算して、該平均値に基づいて決められる所定範囲から前記受信手段で受信した無線信号を前記測定手段で測定した強度が逸脱している場合は、受信した無線信号を異常信号であると判別する異常信号判別手段、
として機能させるためのコンピュータプログラム。
【発明の詳細な説明】
【技術分野】
【０００１】
本発明は、一般に親装置、子装置間で無線にてデータ通信を行なう無線システムに関する。より詳細には、本発明は、親装置からの無線信号で子装置の時刻修正を行う無線システムにおける情報伝達のセキュリティ対策及びセキュリティ対策が施された子装置に関する。
【背景技術】
【０００２】
親時計が基準となる時刻情報を電波等の無線で発信し、周囲に配置された子時計がこれを受信して親時計の基準時刻情報に基づいて時刻を修正して親時計の時刻に一致させる無線式の親子時計システムが知られている。親時計の基準時刻は外部の標準時刻情報源から電波等で受信して作られる。この無線式親子時計システムは、時刻情報の伝達に有線を必要としないから、親時計の時刻と一致した時刻を表示する複数の子時計を比較的自由に敷地内又は構内に配置するのに好適である。
【０００３】
例えば、比較的広大な敷地内又は複雑な建物内等に設置された無線式親子時計システムにおいても、親時計が基準時刻情報を子時計に送信でき、さらに、子時計の位置を比較的に自由に選択又は変更できるものとしては、特許文献１に開示されるものがある。
【特許文献１】特開２００２−１４８３７１号公報
【発明の開示】
【発明が解決しようとする課題】
【０００４】
この特許文献１に記載された親子時計システムでは、時刻情報がシステム内でリレー式に転送されるため、比較的広大な敷地内又は複雑な建物内等に無線式親子時計システムを設置でき、また、子時計の位置を比較的に自由に選択又は変更できる。
【０００５】
しかし、従来の親子時計システムは、時刻情報伝達するために空間を伝播する電波信号を使用しているため、外部から攻撃電波や妨害電波に弱い。場合によっては、悪意を有する者等による有害な電波により、親子時計システムのデータの書き換えや破損やデータ転送を妨害する事態が生じて、親子時計システム全体の機能に支障を生ずる可能性がある。
【０００６】
同様の問題は、時刻の計時と表示を主機能とする時計に限らず、計時機能を備えていて、時刻情報を無線伝達する機能を備える様々な電子機器、例えば、情報処理端末（ＰＤＡ（Ｐｅｒｓｏｎａｌ  Ｄａｔａ  Ａｓｓｉｓｔａｎｃｅ）、ノートパソコン、ラップトップパソコン、ハンディターミナル）、無線タグ、ＩＣタグ、無線ＩＣタグ、ＩＣチップ、ゲーム機、音響機器、等に共通に存在する。
【課題を解決するための手段】
【０００７】
従って、本発明は上記した従来技術の問題点を解決することを目的とし、具体的には、装置間の時刻情報の無線伝達にセキュリティが施された無線システム及び他装置との時刻情報の無線伝達にセキュリティが施された装置を提供することを目的とする。
この目的を達成するため、この発明の無線システムは、
計時機能を備える親装置から無線で時刻情報を受信して、自己の計時機能による計時時刻を修正する複数の子装置を含む無線システムであって、
前記子装置は、
計時手段と、
前記計時手段の計時時刻を用いて所定のデータ処理を実行する処理制御手段と、
時刻情報を含む所定の無線信号を受信する受信手段と、
前記受信手段で受信された無線信号に含まれる時刻情報に基づいて、前記計時手段の計時時刻を修正する修正手段と、
前記修正手段により修正された前記計時手段の計時時刻に基づいて、他の子装置の時刻を修正するための時刻情報を含む無線信号を送信する送信手段と、
前記受信手段で受信した無線信号の強度を測定する測定手段と、
前記測定手段により測定された強度を示す強度情報を順次記憶する強度情報記憶手段と、
前記強度情報記憶手段に記憶された複数の強度情報と前記受信手段で受信された無線信号を前記測定手段で測定した強度とに基づいて、前記受信手段で受信した無線信号が異常信号か否かを判別する異常信号判別手段、
を有することを特徴とする。
【０００８】
前記異常信号判別手段は、例えば、前記強度情報記憶手段に記憶された複数の強度情報の履歴に基づいて定められる所定範囲から、前記受信手段で受信された無線信号を前記測定手段で測定した強度が逸脱している場合は異常信号として判別する。この場合、前記異常信号判別手段は、例えば、前記強度情報記憶手段に記憶された複数の強度情報が示す強度の平均値を求め、求めた平均値に基づいて、前記所定範囲を定める。前記所定範囲は、例えば、前記強度情報記憶手段に記憶された複数の強度情報の示す強度の平均値から、その標準偏差値以内である。
【０００９】
前記異常信号判別手段は、例えば、前記強度情報記憶手段に記憶された複数の強度情報が示す強度と、前記受信手段で受信された無線信号を前記測定手段で測定した強度と、を比較し、多数決論理に基づいて、異常信号であるか否かを判別する。
【００１０】
前記異常信号判別手段は、例えば、前記受信手段で受信した無線信号を前記異常信号として判別した場合、前記修正手段による修正を禁止する。
【００１１】
前記異常信号判別手段は、前記受信手段で受信した無線信号が前記異常信号であると判別した場合、例えば、前記計時手段の計時時刻に基づく前記時刻情報の送信を禁止する。
【００１２】
前記異常信号判別手段は、前記異常信号の検出が連続して所定回数発生した場合若しくはその他の予め定められた事態が発生した場合、前記この無線システムを管理する人間若しくは他の機器に通知するための通知手段を備えても良い。
【００１３】
前記強度情報記憶手段に記憶された強度情報を、前記無線システムを管理する人間若しくは他の機器に通知するための手段を配置してもよい。
【００１４】
前記子装置はさらに、前記異常信号を検出した事態の履歴を記憶する履歴記憶手段と、前記異常信号を検出した履歴を直接又は他の前記子装置を介して前記親装置に伝送する手段を備えてもよい。
【００１５】
前記子装置は、例えば、無線タグ又は情報端末から構成される。
【００１６】
無線タグの場合は、例えば、データ記憶手段とパッケージとを備え、前記処理制御手段は、所定のトリガ信号に応答して、前記計時手段の計時時刻を示す計時情報を前記データ記憶手段に記憶し、前記データ記憶手段に記憶した時刻情報を直接又はデータ処理して、無線で外部に出力する手段を備え、前記パッケージは無線信号を透過可能な材料から構成され、全体を封入する。
【００１７】
情報端末の場合は、例えば、データ記憶手段と入力装置と表示装置とを備えるデータ処理装置から構成され、前記処理制御手段は、前記受信手段又は前記入力装置からの第１の指示に応答して、前記計時手段の計時時刻を示す計時情報を前記データ記憶手段に記憶し、前記受信手段又は入力装置からの第２の指示に応答して、前記データ記憶手段に記憶した時刻情報を直接又はデータ処理して、外部に出力する手段を備える。
【００１８】
また、前記処理制御手段は、前記計時手段の計時時刻を用いて時分割通信処理を行う。
【００１９】
この発明の第２の観点に係る計時機能を有する無線装置は、
計時手段と、
前記計時手段の計時時刻を用いて所定のデータ処理を実行する処理制御手段と、
時刻情報を含む所定の無線信号を受信する受信手段と、
前記受信手段により受信された無線信号に含まれる時刻情報に基づいて、前記計時手段の計時時刻を修正する修正手段と、
前記修正手段により修正された前記計時手段の計時時刻に基づいて、他の無線装置の時刻を修正するための時刻情報を含む無線信号を送信する送信手段と、
前記受信手段で受信した無線信号の強度を測定する測定手段と、
前記測定手段により測定された強度を示す強度情報を記憶する強度情報記憶手段と、
前記強度情報記憶手段に記憶された複数の強度情報と前記受信手段で受信された無線信号を前記測定手段で測定した強度とに基づいて、受信した無線信号が異常信号か否かを判別する異常信号判別手段、
を有することを特徴とする。
【００２０】
この発明の第３の観点に係るコンピュータプログラムは、
無線通信機能と計時機能とを備えるコンピュータを
時刻情報を含む無線信号を受信する受信手段、
前記受信手段により受信された無線信号に含まれる時刻情報に基づいて自己の時刻を修正する修正手段、
修正された自己の時刻に基づいて他の装置の計時時刻を修正するための時刻情報を無線信号で送信する送信手段、
前記受信手段で受信した無線信号の強度を測定する測定手段、
前記測定手段により測定された無線信号の信号強度を示す強度情報を記憶する強度情報記憶手段、
前記強度情報記憶手段に記憶された複数の強度情報が示す強度の平均値を計算して、該平均値に基づいて決められる所定範囲から前記受信手段で受信した無線信号を前記測定手段で測定した強度が逸脱している場合は、受信した無線信号を異常信号であると判別する異常信号判別手段、
として機能させることを特徴とする。
【発明の効果】
【００２１】
本発明は上記構成により、受信した無線信号を、その強度が過去の複数の受信信号の強度に基づいて、異常であるか否かを判別することができる。従って、悪意を有する者により故意に又は何らかの事情で偶然に有害情報が侵入しても、それを判別することができる。このため、複数の子装置（無線装置）の計時機能を信頼性高く同期させることができ、計時機能に基づくデータ処理や時分割通信処理を信頼性高いものとすることができる。例えば、子装置を、温度計やガスメータ等の各種のデータロガーとした場合にはそれぞれのデータの履歴を信頼性高い計時機能に基づくものとすることができる。
【発明を実施するための最良の形態】
【００２２】
以下、図面を参照して本発明の実施の形態について詳細に説明する。
図１は、本発明の実施の形態に係る無線システム１の概略を示す。
無線システム１は、システムの構成要素である各装置が正確な時刻情報を共有し、この正確な時刻情報を用いて所定のデータ処理を全体として実行するものであり、親装置２と、複数の第１の子装置３Ａ、複数の第２の子装置３Ｂ及び第３の子装置３０と、複数の第２の子装置３Ｂの内の１つと第３の子装置３Ｃとの間に配された中継器４１及び４２とを備える。
【００２３】
子装置３としては、親装置２あるいは他の子装置３等の通信相手と所定の出力（パワー）の無線信号、例えば、電磁波（一般に電波）で双方向に通信可能なもの、例えば、通信相手に対して所定位置に設置される温度計やガスメータ、ゲーム機等の各種のデータロガー、ショーケースに設置される電子棚札、商品や管理物品に装着される無線タグ（ＩＣタグ、ＩＣチップとも称される）等、計時機能装置を備え、各種の無線装置が挙げられる。また、子装置は、使用時に通信相手と所定のパワーの電波にて通信するものとすれば、情報処理端末（ＰＤＡ（Ｐｅｒｓｏｎａｌ  Ｄａｔａ  Ａｓｓｉｓｔａｎｃｅ）、ノートパソコン、ラップトップパソコン、ハンディターミナル）であっても良い。
【００２４】
親装置（ランク（階層）０の装置）２と第１の子装置（ランク１の装置）３Ａの間、第１の子装置３Ａと第２の子装置（ランク２の装置）３Ｂの間、上記１つの第２の子装置３Ｂと中継器（ランク３の装置）４１の間、中継器４１と中継器（ランク４の装置）４２の間、及び中継器４２と第３の子装置（ランク５の装置）３Ｃの間は、所定の出力（パワー）と所定の周波数を持った電磁波（一般に電波）で双方向に通信可能に接続されている。この出力と周波数とは、例えば、法規制による免許や許可を必要としない値の大きさに選ばれている。この電磁波は同一周波数であってもよいし、異なる周波数に設定してもよい。
【００２５】
図１には、無線システム１以外の、外部電波発生源として、システム外送信機７０を示している。本実施の形態の無線システム１は、このシステム外送信機７０が偶然又は故意に無線システム１に対して攻撃又は妨害電波を発生した場合でも、無線システム１が異常動作をすることを防止する。
【００２６】
親装置２は、正確な時刻情報である標準時刻情報を受信して、正確な時刻を示す時刻情報と親装置２からの情報であることを示すデータ（ランク０を示すランク情報と親装置２の識別情報）とを含む基準時刻情報を所定の周波数と出力の搬送電波で無線システム１内の子装置３Ａへ向けて送信し、標準電波を直接受信することができない各子装置３の計時時刻を正確な時刻に修正するための装置である。この親装置２は、図２のブロック図に示すように、アンテナ２０と、受信器２１と、デコーダ２２と、制御部２３と、計時部２４と、時刻表示部２５と、エンコーダ２６と、識別情報記憶部２７と、送信器２８と、電源制御部２９と、表示部５１と、記憶部５２と、から構成される。
【００２７】
受信器２１は、アンテナ２０を介して外部の標準時刻情報を含む電波（標準電波：放送の時報、長波標準電波または全地球測位システム（ＧＰＳ）の時刻情報等）を受信し、標準時刻情報を復号して出力する。なお、受信器２１は、テレホンＪＪＹまたは専用回線等の有線にて標準時刻情報を受信するものであっても良い。また、ネットワークを介してタイムサーバ等から標準時刻情報を受信するものであってもよい。
【００２８】
デコーダ２２は、受信器２１で復調された標準時刻情報をデコードして、時刻情報（例えば、所定時刻であることを示す情報又は年・月・日・時・分・秒・等を示す情報）を出力する。
制御部２３は、デコーダ２２からのデコードされた時刻情報に基づいて、計時部２４の計時時刻を受信した標準時刻に一致させるよう修正するための修正情報を作り、計時部２４に送る。
【００２９】
計時部２４は発振回路、カウンタ回路、時刻レジスタ等を備え、発振回路からのクロック信号をカウンタ回路でカウントし、カウント値に基づいて時刻レジスタに記憶している計時時刻を更新し、時刻表示部２５とエンコーダ２６と電源制御部２９とに供給する。また、計時部２４は、制御部２３からの修正情報に従って、時刻レジスタの記憶データ、即ち、計時部２４の計時時刻を標準時刻に合うように修正する。
時刻表示部２５は、ディジタル表示装置やアナログ表示装置を備え、計時部２４の計時時刻を表示する。
【００３０】
エンコーダ２６は、親装置２に割り当てられているランク０を示すランク情報と親装置２の識別情報と、計時部２４から供給される時刻情報とを含む基準時刻情報（ランク１の子装置３Ａが計時時刻を修正するための情報）を生成し、この基準時刻情報をエンコードして送信対象のベースバンド信号を生成して、送信器２８へ送る。
【００３１】
識別情報記憶部２７は、親装置２に割り当てられているランク情報と識別情報とを記憶する。
送信器２８は、ベースバンド信号で所定の周波数と出力の搬送波信号を変調して、アンテナ２０を経由して子装置３へ向けて送信する。なお、送信対象の時刻情報を、自身の状態を示すステータス、子装置を制御するコマンド等の他の情報に添えて送信してもよい。
【００３２】
電源制御部２９は、計時部２４と時刻表示部２５とに常時電力を供給して、計時動作及び表示動作を常時可能とする。また、電力供給スケジュールを予め記憶しており、計時部２４の計時時刻が、標準時刻情報受信時刻及び子装置３Ａからの電波の受信時刻になると、受信器２１、デコーダ２２及びその他の必要な回路に電力を送って、受信動作を実行させ、その他の期間は、これらの回路を停止する。また、電源制御部２９は、計時部２４の計時時刻が、基準時刻情報の送信時刻になると、エンコーダ２６，送信器２８及びその他の必要な回路に電力を送って、送受信動作を実行させ、その他の期間は、これらの回路を停止する。これにより、電力消費を節約する。
【００３３】
電源制御部回路２９について、さらに詳細に説明する。電源制御部２９には、予め設定されているダウンリンク時のタイムスケジュールと、アップリンク時のタイムスケジュールとに関し、自身が電波を受信するタイミングと電波を送信するタイミングとが登録されている。ここで、ダウンリンクとは、親装置２（ランク０）から最上位のランクの子装置３Ａ、更に、上位ランクの子装置３からより下位のランクの子装置３に時刻情報を順次伝達して、それぞれの計時時刻を正しい時刻に修正するための通信処理を意味する。また、アップリンクとは、各子装置３での時刻の更新状況情報、異常信号検出情報、その他の情報を親装置２に集約するために、ランクが下位の子装置３から上位の子装置３に順次情報を伝達し、最後に、最上位の子装置３Ａから親装置２に情報を伝達する通信処理を意味する。
【００３４】
この設定により、電源制御部２９は、計時部２４の計時時刻が図５に示すダウンリンクの開始時刻（１：５９：５９）の直前のタイミング（例えば、１：５９：５８）になると、受信器２１とデコーダ２２とに電力を供給して標準時刻情報を受信・デコードさせ、制御部２３に供給させる。これにより、計時部２４の計時時刻が修正される。
【００３５】
また、電源制御部２９は、計時部２４の計時時刻が図５に示すダウンリンクの開始開示時刻（２：００：００）の直前のタイミング（例えば、１：５９：５９）になると、エンコーダ２６と送信器２８とに電力を供給し、計時部２４の計時時刻に、識別情報記憶部２７から供給される親装置のランク情報と識別情報とを付加して、基準時刻情報を生成し、これをエンコーダ２６でエンコードして、送信器２８から送信させる。
【００３６】
また、電源制御部２９は、計時部２４の計時時刻が図６に示すアップリンクのランク１の子装置３Ａの送信時間帯（３：５９：００）になると、受信器２１とデコーダ２２に電力を供給し、ランク１の子装置３Ａから送信されて来る情報を受信させる。
【００３７】
表示部５１は、子装置３からアップされた様々な情報や警報を表示して、管理者などに報知する。
記憶部５２は、子装置３からアップされた情報や、制御部３３の動作プログラム等を記憶する。
【００３８】
このような構成により、親装置２は、計時部２４で計時を行って、時刻表示部２５に現在時刻を表示する。
【００３９】
そして、計時部２４の計時時刻が電源制御部２９に予め登録されている標準時刻情報の受信時刻になると、電源制御部２９は、受信器２１とデコーダ２２とに電力を供給し、アンテナ２０及び受信器２１により標準時刻情報の電波を受信し、受信情報をデコーダ２２でデコードし、制御部２３により計時時刻を標準時刻に修正するための修正情報を作り、計時部２４が自己の計時時刻を標準時刻に合うように修正し、時刻表示部２５が時刻表示を修正する。従って、親装置２は、ほぼ正確な時刻を計時し、表示することができる。
【００４０】
そして、計時部２４の計時時刻が電源制御部２９に予め登録されている、子装置３Ａの計時時刻を修正するために基準時刻情報を送信する時刻になると、電源制御部２９は、エンコーダ２６と送信器２８とに電力を供給する。エンコーダ２６は、計時部２４の計時時刻を示す情報と識別情報記憶部２７に記憶されている親装置２のランク情報と識別情報とを含む基準時刻情報を生成し、これをエンコードしてベースバンド信号を生成し、送信器２８へ送る。送信器２８は、ベースバンド信号で所定の周波数と出力の搬送波信号を変調して、アンテナ２０を介して子装置３Ａへ向けて送信する。
【００４１】
また、計時部２４の計時時刻がアップリンクタイミング中の最上位の子装置３Ａが情報を送信するタイミングになると、電源制御部２９は、受信器２１とデコーダ２２に電力を供給し、受信器２１により子装置３Ａからの電波を受信し、デコーダ２２でデコードし、制御部２３に供給する。制御部２３は、受信した情報に含まれている識別情報から、各子装置３が送信した情報を識別して、必要に応じて、表示部５１に表示する。この受信情報は、各子装置３の異常電波の検出状況や受信電波の強度の履歴の情報等を含む。また、子装置３が温度計、湿度計やガスメータ、ゲーム機のコイン計数器等の各種のデータロガーを構成するのであれば、子装置３は、収集したデータに添えて受信情報を送信するものとすれば良い。
【００４２】
また、制御部２３は、各子時計３からの異常電波通知及び／又は受信電波強度の履歴情報を記憶部５２に記憶して、後の解析に利用する。記憶部５２の容量は子装置３の数と個々の情報のサイズに応じて適当に選択できる。管理者又は他の管理用の機器への通知は、１回の異常電波発生ではなく所定回数連続して異常電波が発生した場合のみに限定しても良い。
【００４３】
必要ならば各子装置３からの異常電波の通知や受信電波強度の履歴情報を、図示しない管理者又は他の管理用の機器に、エンコーダ２６と送信器２８とを介して通知するようにしてもよい。この場合、例えば、送信器２８にネットワークを用いた通信機能を追加して、管理者に異常状態を通知するメールを送信する構成とし、あるいは、他の管理用の機器に履歴情報をファイル化して送信する構成とすれば良い。
【００４４】
標準時刻情報の電波は、通常、十分な強度を有し且つ親装置２は無線システム１の管理者による注意が通常、常に払われていて妨害電波等の発射等の異常事態の察知は容易で対策も講ずることができる。従って、図２の構成では、親装置２には異常電波の特段の対策手段は設けていない。しかしながら、親装置２が管理者の注意が常に払われる場所に設置されていない場合等、必要ならば、以下に説明する子装置３と同様に、異常電波対策用の構成を親装置２に設けることもできる。
【００４５】
親装置２が送信する電波と各子装置３が送信する電波は同一の周波数でもよい。但し、親装置２と子装置３の送信時間が一致しないように時間をシフトして（通信チャネルを時間軸上で異ならせて）送信して、混信を回避する。このとき、より信頼性の高い時刻情報に子装置３が同期されたものであるので、このような時分割通信の信頼性が高いものとなっている。これに代えて、親装置２が送信する電波と各子装置３が送信する電波を異なる周波数として、混信を回避してもよい。
【００４６】
図１に示す、第１の子装置３Ａ、第２の子装置３Ｂ、及び第３の子装置３Ｃは、例えば、所謂無線ＩＣタグから構成され、図３に示すように、通信回路３０１と、タイマ回路３０２と、メモリ３０３と、プロセッサ３０４と、から構成され、樹脂パッケージ３０５に封入されている基本構成を有する。
【００４７】
通信回路３０１は、他の装置との間で無線通信を行う。
タイマ回路３０２は、現在時刻をカウントする。
メモリ３０３は、プロセッサ３０４の動作プログラムとこの子装置３の識別情報を記憶している。また、プロセッサ３０４のワークエリアとして機能する。
【００４８】
プロセッサ３０４は、通信回路３０１を介して、外部より自己宛の問い合わせコマンドを受信すると、自己の識別情報を含む応答信号を通信回路３０１を介して送信する。また、問い合わせコマンドを受信した時刻や問い合わせコマンドの発行元の識別情報等をメモリ３０３に記録し、所定の読み出しコマンドを受信すると、メモリ３０３に蓄積しておいた履歴情報を通信回路３０１を介して外部装置に送信する。
【００４９】
また、プロセッサ３０４は、通信回路３０１を介して、親装置２又は自己より上位の子装置３からの時刻修正用情報（タイマ回路３０２の計時時刻を修正するための情報であり、親装置２からのものを基準時刻情報、子装置３からのものを参照時刻情報と呼ぶ）を受信し、受信した時刻修正用情報に含まれている時刻に基づいて、タイマ回路３０２の計時時刻を修正し、次のアップリンク時に応答信号等を通信回路３０１を介して送信する。
【００５０】
パッケージ３０５は、一辺が、例えば、数センチメートル〜数ミリメートルの直方体又は立方体形状に、電波透過性の樹脂材料から形成され、通信回路３０１による外部との通信を可能としつつ全体を封入する。
【００５１】
なお、無線システム１が本来予定するデータ処理を実行するためのコマンドや応答信号の送受信に使用する無線信号（電波）の周波数帯域と、タイマ回路３０２の計時時刻の修正のための情報とその応答の送受信に使用する無線信号の周波数帯を、通信回路３０１で十分分離可能な別帯域とする。
【００５２】
次に、図４を参照して、子装置３の構成の詳細を、親装置２からの基準時刻情報を直接受信する子装置３Ａを例に説明する。
図４は、図３に示す構成を有する無線ＩＣタグから構成される子装置３Ａの構成のうち、タイマ回路３０２の計時時刻を修正して応答を返送する部分の構成を詳細に示すものである。
【００５３】
図４に示すように、子装置３Ａは、アンテナ３０と、受信器３１と、デコーダ３２と、制御部３３と、計時部３４と、ランク制御部３７Ａと、エンコーダ３６と、識別情報記憶部３７と、送信器３８と、電源制御部３９と、電波強度測定部６１と、電波強度記憶部６２と、異常電波判別部６３と、履歴記憶部６５と、異常状態通報部６４と、から構成される。
【００５４】
受信器３１は、アンテナ３０を介して親装置２からの基準時刻情報と下位の子装置３Ｂからの応答信号を受信・復調して出力する。
デコーダ３２は、受信器３１で復調された信号をデコードして、コード情報を生成して、制御部３３とランク制御部３７Ａに供給する。即ち、デコーダ３２は、受信した信号が親装置２からの基準時刻情報の場合には、時刻情報と親装置２のランク情報と識別情報とを再生して、制御部３３に出力し、親装置２のランク情報と識別情報とをランク制御部３７Ａに出力する。また、デコーダ３２は、受信した信号が子装置３Ｂからの無線信号の場合には、再生した情報を制御部３３に出力する。
【００５５】
制御部３３は、デコーダ３２からの親装置２を示す識別情報が付された基準時刻情報に基づいて、計時部３４の計時時刻を受信した標準時刻に一致させるよう修正するための修正情報を作り、計時部３４に送る。また、制御部３３は、デコーダ３２から自己より下位のランク情報と下位の子装置３Ｂの識別情報が付された情報（異常通知情報、受信履歴情報等）を受信すると、これをエンコーダ３６に供給して、送信器３８を介して親装置２に送信させる。
【００５６】
計時部３４は、図示しない発振回路、カウンタ回路、時刻レジスタ等を備え、発振回路からのクロック信号をカウンタ回路でカウントし、カウント値に基づいて時刻レジスタに記憶している計時時刻を更新し、計時時刻をエンコーダ３６及び電源制御部３９に供給する。また、図３に示したプロセッサ３０４にも供給され、様々なデータ処理に利用される。また、計時部３４は、制御部３３からの修正情報に従って、時刻レジスタの記憶データ、即ち、計時部３４の計時時刻を親装置２の計時時刻に同期するように修正する。
【００５７】
ランク制御部３７Ａは、ダウンリンクの受信時に、デコーダ３２から供給される情報に基づいて、自己のランクを判別し、判別したランクを示す情報を出力する。図１では、親装置２はランク０（第０階層）、子装置３Ａはランク１（第１階層）、子装置３Ｂはランク２（第２階層）、．．．であり、子装置３Ａのランク制御部３７Ａは親装置２から基準時刻信号に含まれている親装置２のランク情報と識別情報とに基づいて、自己がランク１であることを判別し、その旨の信号をエンコーダ３６と電源制御部３９に出力する。
【００５８】
識別情報記憶部３７は、この子装置３Ａに割り当てられている識別情報を記憶する。この例では、子装置３の識別情報は１〜６０のいずれかであり、無線システム１内には、同一の識別情報を有する装置は存在しない。従って、無線システム１内の子装置３の最大数は６０であり、ランクも１〜最大６０である。
【００５９】
エンコーダ３６は、計時部３４から供給される時刻情報と、ランク制御部３７Ａから供給される自己のランク１を示すランク情報と、識別情報記憶部３７に格納されている子装置３Ａの識別情報とを含む時刻修正情報を生成し、これをエンコードして、ベースバンド信号を生成し、送信器３８に送る。
【００６０】
送信器３８は、エンコーダ３６から供給されるベースバンド信号で、所定の周波数と出力（パワー）の搬送電波を変調して、アンテナ３０を経由して自己より下位の子装置３Ｂへ向けて送信する。
【００６１】
電源制御部３９は、計時部２４に電力を常時供給して計時動作を可能とする。
また、計時部３４からの時刻情報に従って、自己より上位の装置の時刻修正用の時刻情報（子装置３Ａの場合には、親装置２から送信されてくる基準時刻情報）の送信時間、及び、自己より下位の子装置からの電波の受信時間にのみ、受信器３１、デコーダ３２及びその他の必要な回路に電力を送って、受信動作を実行させ、他の期間はこれらの回路を停止して、電力消費を節約する。但し、ランク制御部３７Ａが、受信した無線信号に基づいて、ランク情報を出力すると、受信器３１への電力の供給を停止して、以後の受信を停止させる。また、電源制御部３９は、計時部３４からの時刻情報に従って、自己より下位の装置に時刻修正情報を送信するダウンリンクでの送信タイミングで及び自己より上位の装置に情報を送信するアップリンクでの送信タイミングでのみ、エンコーダ３６、送信器３８及びその他の必要な回路に電力を送って、送信動作を実行させ、他の期間はこれらの回路を停止して、電力消費を節約する。
【００６２】
電源制御部３９について、さらに、詳細に説明すると。電源制御部３９には、図５に示すようなダウンリンク時の送・受信のタイムスケジュールと、図６に示すようなアップリンク時の送信タイムスケジュールとが登録されている。図５に示すように、ダウンリンク時の送信タイミングは、ランクが高い程早く、図６に示すように、アップリンク時の送信タイミングは、ランクが低い程早く設定されている。
【００６３】
まず、電源制御部３９は、計時部３４の計時時刻が図５に示すダウンリンクの開示時刻（親装置２の送信開始時刻、１：５９：５９）になると、受信器３１に電力を供給し、上位装置からの時刻修正情報を受信する。そして、ランク制御部３７Ａは、受信した時刻修正情報に含まれているランク情報に基づいて、自己のランクを判別し、ランク情報を電源制御部３９に通知する。電源制御部３９は、通知に応答して、以後送信される時刻修正情報（自己と同一ランクからより下位のランクの装置の送信情報）の受信をダウンリンクの終了（３：００：００）まで停止する。従って、各子装置３は、あるランク（３Ａの場合、親装置２）からの時刻修正用の情報（基準時刻情報）を受信すると、それ以下の装置の出力する時刻修正用の情報は受信しない。
【００６４】
そして、電源制御部３９は、計時部３４の計時時刻が、ランク制御部３７Ａが判別したランクに相当し、且つ、識別情報記憶部３７から供給される識別情報に一致するタイミングになると、エンコーダ３６と送信器３８とに電力を供給し、自己より下位の装置に時刻修正用の時刻情報を送信させる。
【００６５】
また、電源制御部３９は、計時部３４の計時時刻が図６に示すアップリンクの開示時刻（３：００：００）になると、受信器３１に電力を供給し、他装置からの情報を受信する。そして、電源制御部３９は、計時時刻が自己のランクと識別情報から定まる送信タイミングになると、送信器３８に電力を供給し、制御部３３が自己が下位装置から受信したアップ対象情報と自己が保有するアップ対象情報と識別情報とを含む情報をエンコーダ３６でエンコードして、アンテナ３０を介して送信する。以後は、受信器３１、デコーダ３２，エンコーダ３６，送信器３８等への電力の供給を停止する。
【００６６】
電波強度測定部６１は、受信動作の際に、すなわち、上位装置から時刻情報を受信するダウンリンク時には、デコーダ３２の動作前に又は動作中に受信器３１により受信された電波の強度を測定し、測定値を示すデータを電波強度記憶部６２に提供する。電波強度Ａの測定は例えば、検波された受信電波のピーク値又は平均値を測定することで行なう。
電波強度記憶部６２は、電波強度測定部６１で測定された電波強度ａを示すデータを直近の所定回数分記憶する。
【００６７】
異常電波判別部６３は、電波強度記憶部６２に記憶されている、最近、例えば、１０回の電波強度ａ１、ａ２、…、ａ１０の平均値ａｍ＝（ａ1＋ａ2＋…＋ａ10）／１０と比較し、今回測定した電波強度Ａとこの平均値ａmとの差Ｓ＝Ａ−ａm  が、これら最近１０回の測定された電波強度の標準偏差値σ（分散σ２＝  ｛（ａｌ−ａm）２＋…＋（ａ10−ａm）２｝／１０の正の平方根）よりも大きい場合（Ｓ＞σ）、この強度Ａを有する受信電波は異常電波であると判別する。これは、無線システム１内の親装置２又は他の子装置３から子装置３Ａが過去に通常に受信した電波強度の平均値に基づいて決められる所定範囲（標準偏差値σ内）から通常異常に外れている（主として大きい場合）から、子装置３近辺の無線システム１外の妨害電波源であるシステム外送信機７０である可能性が高いからである。
【００６８】
異常電波判別部６３は、今回の受信電波の強度が異常であると判別した場合、デコーダ３２にデコード禁止信号を送信し、異常な電波強度を有する今回の受信信号のデコードを禁止する。これにより、制御部３３が今回の受信信号に基づいてこの子装置３内の計時部３４の計時時刻の修正を行うのを禁止する。さらに、異常電波判別部６３は、電源制御部３９を介して、異常電波により、時刻修正が妨げられたときの時刻情報が他の子装置３に送信されることがないように、時刻情報の送信を禁止する。さらに、異常電波判別部６３は、異常状態通報部６４に異常の検出を通知する。
【００６９】
異常状態通報部６４は、エンコーダ３６、送信器３８を介して、次ぎのアップリンク時に異常電波の受信を親装置２に通知する。そして、親装置２は上述したように図示しない無線システム１の管理者及び／又は他の管理機器に通知する。異常状態通報部６４は、１回の異常電波の受信により通知を行ってもよく、代替的には、所定回数の連続した異常電波の受信がある時に通知をしてもよい。この場合、異常電波の受信の記録は履歴記憶部６５に記憶される。
【００７０】
なお、子装置３Ａは、上記構成以外に、外部装置からランダムなタイミングで供給される様々なコマンドや指示を受信するために常時オンしている受信回路を備えており、プロセッサ３０４は、その受信回路で受信したコマンドなどを、適宜処理する。
【００７１】
図１に示す第２の子装置３Ｂは、実質的に第１の子装置３Ａと同一の構成、即ち、図３と図４に示す構成を有する。但し、ランク制御部３７Ａは、ランク１の子装置３Ａからの第１の参照時刻情報を受信することになり、自己がランク２であることを判別し、第２の参照時刻情報を送信する。
【００７２】
中継器４１、４２は基本的に、各子装置３と同一の構成を有する。但し、ランク制御部３７Ａは、それぞれ、自己のランクがランク３とランク４であることを判別する。なお、中継器としては、単なる電波中継のための受信器能と送信器能を備えるものでもよい。
【００７３】
図１に示す第３の子装置３Ｃは、第１の子装置３Ａ及び第２の子装置３Ｂと同一の構成、即ち、図３と図４に示す構成を有する。但し、そのランク制御部３７Ａは、自己のランクがランク５であることを判別する。
【００７４】
次に、上記構成を有する子装置３の動作を、第１の子装置３Ａを例に説明する。
電源制御部３９に登録されているダウンリンク時の受信時刻（親装置２の送信タイミング）になると、電源制御部３９が受信器３１とデコーダ３２とに電源を供給する。これにより、第１の子装置３Ａは、アンテナ３０と受信器３１により親装置２から基準時刻情報を含む無線信号を受信して、ベースバンド信号を復調し、デコーダ３２でこのベースバンド信号をコード情報にデコードして、時刻情報と親装置２のランク情報と識別情報とを再生し、時刻情報と親装置２の識別情報とを制御部３３に供給し、親装置２のランク情報をランク制御部３７Ａに供給する。
【００７５】
制御部３３は、時刻情報に基づいて、計時部３４の計時時刻を修正するための修正情報を作り、計時部３４の計時時刻を修正して親装置２の時刻に合わせる。
【００７６】
一方、ランク制御部３７Ａは、デコーダ３２から供給される情報から、受信した時刻情報がランク０の親装置２からのものであることを判別し、自己がそれより１段下位のランク１であることを判別し、ランク１を示すランク情報を出力する。
【００７７】
エンコーダ３６は、計時部３４の出力する時刻情報と、ランク制御部３７Ａから供給されるランク１を示すランク情報と、識別情報記憶部３７から供給される識別情報とを含む第１の参照時刻情報（ランク１の装置から下位の装置に時刻合わせのために送信される情報）を生成し、これをエンコードして、送信器３８に出力する。
【００７８】
電源制御部３９は、ランク制御部３７Ａから供給されるランク情報と、識別情報記憶部３７から供給される識別情報とに従って、自己が第１の参照時刻情報を送信すべき時間帯（チャネル）を認識し、計時部３４の計時時刻がその時間帯になると、エンコーダから供給されている第１の参照時刻情報を送信する。
【００７９】
この第１の参照時刻情報はこの第１の子装置３Ａの所定の送信時間に対応した時刻情報であり、親装置２からの基準時刻情報とは異なり遅れている。
【００８０】
一方、上述の受信動作の際、上記したデコーダ３２の動作前に又は動作中に受信器３１により受信された電波の強度Ａが電波強度測定部６１で測定され、測定値Ａが、電波強度記憶部６２に記憶される。そして、今回の測定値が、異常電波判別部６３により、以前に受信された電波の強度、例えば、最近１０回の電波強度ａｌ、ａ２、…、ａ１０の平均値ａm＝（ａ1＋ａ2＋…＋ａ10）／１０と比較され、今回の測定値Ａと平均値ａmとの差Ｓ＝Ａ−ａm  が、最近１０回の測定値の標準偏差値σ（分散σ２＝  ｛（ａｌ−ａm）２＋…＋（ａ10−ａm）２｝／１０の正の平方根）よりも大きい場合（Ｓ＞σ）、今回の受信電波を異常電波として判別する。
【００８１】
異常電波判別部６３が電波強度Ａが異常であると判別した場合、異常電波判別部６３は、デコーダ３２による受信電波のデコードを禁止して、制御部３３による計時部３４の計時時刻の修正を禁止する。さらに、異常電波判別部６３は、異常電波による情報が他の子装置３に送信されることがないように、異常検出信号を電源制御部３９に出力する。電源制御部３９は、この異常検出信号に応答して、計時部３４の計時時刻が送信時刻になったとしても、送信器３８への電力の供給を行わず、送信を禁止する。そして、異常電波判別部６３は、異常状態通報部６４に親装置２への通知を指示する。異常状態通報部６４は、異常が発生したこととその時刻及び受信電波の強度・偏差などをエンコーダ３６に供給し、エンコーダ３６は、これをエンコードする。送信器３８は、次ぎのアップリンク時に、エンコーダ３６から供給される異常電波を受信したことを示す情報を親装置２に通知する。そして、親装置２は、上述したように、無線システム１の図示しない管理者及び／又は他の管理機器に通知する。異常状態通報部６４は、異常電波を受信する毎に通知を行ってもよく、あるいは、所定回数の連続した異常電波の受信がある時に通知をしてもよい。この場合、異常電波の受信の記録は履歴記憶部６５に記憶される。
【００８２】
さらに、異常状態通報部６４は、電波強度記憶部６２内に記憶された正常及び異常の全ての電波強度の記憶の履歴を、定期的なアップリンク時に親装置２にエンコーダ３６、送信器３８を介して送信して、無線システム１の管理者が保守点検に使用できるようにしてもよい。そして、時間的に古い方の電波強度の測定値の記憶が新しい電波強度の測定値に書き替えられるようにしてもよい。なお、平均値と標準偏差値を求めるための過去に受信された電波強度のサンプル数を、上記の例では１０としたが、この数に限定する必要は無く、電波強度記憶部６２に記憶可能な過去の履歴の電波強度の数に応じて適宜選択できる。
【００８３】
異常電波判別部６３は、受信された電波強度Ａと過去の平均値ａｍとの差Ｓ＝Ａ−ａｍが、Ｓ≦σ、の場合は、この子装置３が無線システム１内の親装置２又は他の子装置から過去に通常に受信した電波強度の平均値ａｍに基づいて決められる所定範囲（標準偏差値σ内）にあるため、親装置２からの正常な電波と判別する。この場合は、上記した通り、デコーダ３２が復元した時刻コードに基づいて計時部３４の時刻を修正し、第２の子装置３Ｂの時刻を修正するための第１の参照時刻情報を送信する。
【００８４】
子装置３において、上述した制御部３３，電波強度測定部６１、電波強度記憶部６２、異常電波判別部６３、異常状態通報部６４、及び履歴記憶部６５を、例えば図示しないＡ／Ｄ変換器と図３に示すプロセッサ３０４上で走るプログラムとメモリ３０３とこれらに電力を供給する電源とにより実現してもよい。
【００８５】
図１に示す第２の子装置３Ｂは、実質的に子装置３Ａと同一の構成、即ち、図３と図４に示す構成を有し、第１の子装置３Ａからの第１の参照時刻情報を受信し、計時時刻を修正する。この際、リンク制御部３７は、ランク情報から自己がランク２であることを判別し、第２の参照時刻情報を送信する。
【００８６】
中継器４１は基本的に、子装置３Ａと同一の構成を有し、子装置３Ｂからの第２の参照時刻情報を受信し、計時時刻を修正し、ランク３であることを判別し、第３の参照時刻情報を送信する。中継器４２も基本的に、子装置３Ａと同一の構成を有し、中継器４１からの第３の参照時刻情報を受信し、計時時刻を修正し、ランク４であることを判別し、第４の参照時刻情報を送信する。なお、中継器４１、４２は、単なる電波中継のための受信機能と送信機能を備えるものでもよい。この場合、各電波中継器は、基本時刻情報又は第ｎの参照時刻情報を受信し、ランクを落とすことなく、基本時刻情報又は第ｎの参照時刻情報を送信する。
【００８７】
図１に示す第３の子装置３Ｃも、子装置３Ａと同一の構成を有する。但し、ランク５である。
【００８８】
図１は、第１の子装置３Ａから第３の子装置３Ｃまでを示しているが、さらに第４、第５、又はこれ以上の子装置を配置して、リレー式に電波で双方向通信可能に接続することもできる。
【００８９】
なお、各子装置３は、ランク制御部３７Ａの機能により、自動的にランク付けされる。この結果、子装置３同士は交換可能であり、移設が容易にできる。
【００９０】
次に、図５を参照して、親装置２と子装置３の間で時刻修正のための時刻情報を送信するダウンリンク時の時間割当てを具体的に説明する。ダウンリンクは、例えば１日に１回、２時台に１時間を使用して行なう。但し、各子装置３が時刻情報の受信と送信に要する時間は、その内の割当てられた時間、この例では１秒間である。しかも、子装置３は時刻修正のための時刻情報を受信すると、上記のように受信器３１の電源を切るために無駄な電力消費を防ぐことができる。子装置が無線タグ等の小型の無線装置の場合では、低消費電力化を進めることができ、特に好ましい。以降の時刻情報の受信は受信器３１による受信を停止して行なわないから、繰返しの時刻修正や送信が防止できる。各子装置３は受信可能な基準時刻情報、第１の参照時刻情報、第２の参照時刻情報等の時刻情報の内、より高いランク、すなわち、より親装置２に近い方の時刻情報を優先して受信するように構成されている。
【００９１】
なお、ダウンリンクは１日に１回に限るものではない。２〜３時間に１回間隔でダウンリンクを行なうこととすれば、無線システム１内の装置の累積誤差をさらに抑えることができる。また、低精度の装置では品質や設置環境の温度変化の影響等によって１日の誤差が１秒程度になるものがあり、このようなものでは、１日に１回のダウンリンクを行なうとすれば、本例の無線システム１の１秒の通信チャネルの間に通信を完結する方式から逸脱するおそれがある。このため、子装置３に採用することは難しい。２〜３時間に１回間隔でダウンリンクを行なう無線システム１とすれば、無線システム１内の装置の累積誤差が抑えられ、低精度の装置であっても子装置３に採用することができ、安価にシステム構築が可能となる。特に自己の計時機能に基づいて時分割通信を行なう場合に、信頼性高く自己の時刻が親装置や他の子装置の時刻と同期されていることが必須であり、本例のシステムは、この種の時分割通信の無線システムには好適である。
【００９２】
図５に示すように、１：５９分５９秒から２時００分００秒までの１秒間がランク０である親装置２の時刻情報、すなわち、基準時刻情報の送信時間帯である。２時から２時１分までの１分間がランク１である第１の子装置３Ａの時刻情報、すなわち、第１の参照時刻情報、の送信時間帯である。この１分の時間帯はさらに１秒間間隔で６０の時間帯に細分されて、第１の子装置３Ａの識別情報（例えば、１から６０の間の特定の番号とする）に対応して割当てられた時間帯の１秒間に送信を行なう。２時１分から２時２分までの１分間がランク２である第２の子装置３Ｂの時刻情報、すなわち、第２の参照時刻情報、の送信時間帯である。この１分の時間帯はさらに１秒間間隔で６０の時間帯に細分されて、第２の子装置３Ｂの識別情報（１から６０の間の特定の番号とする）に対応して割当てられた時間帯の１秒間に送信を行なう。以下のランクの子装置３がある場合も同様である。このようにして、同一の周波数の電波を用いても、混信することがない。
【００９３】
次に、図６を参照して、第１ないしは第３の子装置３Ａ、３Ｂ、３Ｃから親装置２へ各子装置３の受信状態を示す受信情報を電波で送信するアップリンクの時間割当てを説明する。
【００９４】
各子装置３の受信情報は、子装置３の識別情報、時刻修正のための時刻情報の受信の可否、受信した時刻情報のランク（すなわち、基準時刻情報、第１及び第２の参照時刻情報等の区別）、そして受信した時刻情報の送信元の識別情報を含む。アップリンクは、例えば、１日に１回３時台に１時間を使用して行なう。但し、各子装置３が情報の送信に要する時間は、その内の割当てられた時間、この例では１秒間である。したがって、無駄な電力消費を防ぐことができる。アップリンク開始とともに各子装置３において受信動作が開始され、送信動作が終了した子装置３から受信動作は停止される。このように各子装置３の受信状態の情報、すなわち、電波強度記憶部６２に記憶された受信した時刻情報の電波強度が適正な範囲にあるか否かの判別のための電波強度の履歴情報、履歴記憶部６５に記憶された異常電波検出の履歴等の正当な時刻情報が取得されたか否かを示す履歴情報を親装置２に集めて、無線システム１全体の稼動状況を監視し、不正な時刻情報を含む電波によるシステム妨害を逸早く発見可能としている。また、各履歴情報を保守作業に利用し、必要ならば、中継器４１，４２の配置あるいは子装置３の位置の変更を行なうこともできる。
【００９５】
また、子装置３が無線タグの場合、このアップリンクのときに識別情報が親装置２までリレー式に伝送され、親装置２によって子装置３の存在の有無を確認でき、例えば、無線タグを添付した物品の存在確認ができる。また、例えば、子装置３が温度計等のデータロガーであれば、各子装置３がそれぞれ所定の時間間隔で得た温度履歴等のデータ履歴はアップリンクのときに親装置２に伝送され、親装置２によって確認できる。
【００９６】
図６に示すように、ダウンリンクの場合とは逆により下位の子装置からアップリンク送信が開始される。すなわち、３時から３時１分までの１分間がランク６０の子装置３の受信情報の送信時間帯である。この１分の時間帯はさらに１秒間間隔で６０の時間帯に細分されて、子装置３の識別情報（例えば、１から６０の間の特定の番号とする）ごとに割当てられた時間帯の１秒間に送信を行なう。この子装置３の送信した電波は上位の子装置３により順次中継されて親装置２まで送られる。
【００９７】
３時５５分から３時５６分までの１分間がランク５である第３の子装置３Ｃの受信情報の送信時間帯である。この１分の時間帯は上記のようにさらに１秒間隔で６０の時間帯に細分されて、子装置３Ｃは自己の識別情報に対応して割当てられた時間帯の１秒間に送信を行なう。子装置３Ｃは、自己の識別情報と時刻情報の受信の可否とその時刻情報のランク（すなわち、第４の参照時刻情報であること）とその送信元の中継器４２の識別情報を含む受信情報を送信する。この第３の子装置３Ｃの受信情報は、中継器４２、中継器４１、第２の子装置３Ｂ、第１の子装置３Ａのそれぞれの送信タイミングに送信されるそれぞれの受信情報に付加されて、これらにより中継されて、親装置２で受信される。３時５６分から３時５７分までの１分間がランク４である中継器４２の受信情報の送信時間帯である。この１分の時間帯は上記のようにさらに１秒間間隔で６０の時間帯に細分されて、中継器４２は自己の識別情報に対応して割当てられた時間帯の１秒間に送信を行なう。３時５７分から３時５８分までの１分間がランク３である中継器４１の受信情報の送信時間帯である。この１分の時間帯は上記のようにさらに１秒間間隔で６０の時間帯に細分されて、中継器４１は自己の識別情報に対応して割当てられた時間帯の１秒間に送信を行なう。
【００９８】
３時５８分から３時５９分までの１分間がランク２である第２の子装置３Ｂの受信情報の送信時間帯である。この１分の時間帯は上記のようにさらに１秒問間隔で６０の時間帯に細分されて、子装置３Ｂは自己の識別情報（１から６０の間の特定の番号とする）に対応して割当てられた時間帯の１秒問に送信を行なう。第２の子装置３Ｂの送信電波は第１の子装置３Ａに中継されて親装置２に届けられる。
【００９９】
第１のランクである第１の子装置３Ａは、３時５９分から４時までの１分間の内の割当てられた１秒の間に、親装置２に受信情報を直接送信する。このようにして、同一の周波数の電波を用いても、混信することがない。
【０１００】
親装置２では、４時の時点で全ての子装置３Ａ、３Ｂ、３Ｃからの受信情報が受信され、その受信情報が表示部５１に表示される。この表示された受信状態により、各子装置３が実際に時刻情報を受信して時刻を修正することができたか否か及び伝播経路を確認でき、必要ならば中継器４１，４２を配置したり子装置３を移設したりして、無線システム１の時刻同期の信頼性を高めることができる。
【０１０１】
なお、本発明では、電波強度の異常を判定するため、過去に受信された電波の強度の平均値からのずれの基準として、標準偏差値の代わりに、例えば、平均値の半分の大きさ等の固定値を使用するようにしてもよい。また、平均値を計算するために電波強度記憶部６２内に記憶される電波強度の数は適宜選択することができる。
【０１０２】
また、過去に受信された電波の強度に基づいて今回の受信電波の正常・異常を判別できればよく、例えば、過去ｎ（奇数個）回の受信強度ａ1〜ａnと今回の受信強度Ａとを比較し、受信強度ａ1〜ａnのうちで、受信強度Ａと一致するものが例えば半数以上あれば、正常として、半数未満であれば、異常とするなど、多数決理論を用いて判別してもよい。
【０１０３】
なお、受信した時刻情報を正常なものであると認定するために、他の条件を付加することも当然可能である。例えば、正常か否かを判別するために、ずれの方向（遅れか進みか）を参照するようにしてもよい。計時部３４の計時時刻は標準時刻に対し、進むタイプのものは常に進み、遅れるタイプのものは常に遅れる傾向がある。そこで、履歴情報上は、計時時刻が標準時刻に対して遅れて（又は進んで）いたにもかかわらず、突発的に、進み（又は遅れた）ような場合には、偏差が標準偏差値に入っていても、異常信号であるとみなすようにしてもよい。
【０１０４】
上記実施の形態においては、子装置３として、無線ＩＣタグを示したが、無線通信機能を有する他の任意の電子装置にこの発明は適用可能である。例えば、図７に示すような、通信回路４０１，タイマ回路４０２，メモリ４０３，入力部４０４，表示部４０５，プロセッサ４０６を備える構成の無線機器４（ＰＤＡ、携帯無線機器、ノートパソコン、ラップトップパソコンなど）にも適用可能である。
【０１０５】
上記実施の形態においては、理解を容易にするために、各子装置３は、受信器２１とは別個に、任意のタイミングで発生するコマンドや指示を受信するために常時オンしている受信器やデコーダを備えることとしたが、ダウンリンク・アップリンク用と、コマンド受信用とで同一の受信器を使用することも可能である。この場合には、ダウンリンク時に、ランク制御部３７Ａがランク情報を出力してからは、あるいは、アップリンク時に送信が終了した後は、コマンド信号などのみをチューニングして受信するようにすればよい。
【０１０６】
また、正確なタイマ回路４０２を用いて、無線機器４でどのような処理を行うかは任意である。例えば、子装置３が温度計であれば、プロセッサ４０６は、タイマ回路４０２が所定の時間を計時する度に、温度センサの計測データを読み込んで、メモリ４０３に格納することにより所定の時間間隔で温度履歴をとることもできる。また、子装置３が、例えば、スロットマシン等のゲーム機であれば、所定の時間間隔で投入されるコイン、排出されるコインの履歴を取ることもできる。この他、例えば、通信部４０１又は入力部４０４から所定の指示・要求があった場合（第１のトリガが発生した場合）に、その処理を実行すると共にその時刻を処理内容と共に記録し、また、無線通信部４０１又は入力部４０４より指示・要求があった場合（第２のトリガが発生した場合）に、記憶しておいた時刻情報と処理内容とを無線送信又は出力する等してもよい。例えば、子装置３がガスメータであれば、検針用端末からの無線による要求に応答して使用量データとともにその時刻を送信し、要求元の検針用端末のＩＤと共に送信情報を記録して内部に履歴をとるようにしても良い。そして、プロセッサ４０６は、タイマ回路４０２計時時刻に基づいて送受信処理を行い、前述のダウンリンクの処理で、時刻情報を受信し、計時時刻を修正し、計時時刻を送信し、アップリンクの処理で、蓄積している種々の情報を親装置２に伝達できる。
【０１０７】
また、装置間で無線通信する際の媒体は電波に限定されず、光や超音波などでもよい。
さらに、１つの無線システムを構成する子装置の数、時分割通信を行う際の各チャネルの幅（期間）、アップリンク及びダウンリンクの所用時間等も任意であり、子装置の数、チャネル検出の精度、ダウンリンクとアップリンクに使用できる期間などを考慮して適宜設定可能である。
【０１０８】
以上説明したように、この実施の形態によれば、標準電波が届かない地域に配置された子装置にもリレー方式で正確な時間を無線信号で伝達することができる。この伝達の間に、妨害信号が発生した場合でも、それを検出し、その回の無線信号を無視するので、誤った時刻データを記憶したり、下位装置に伝達する事態を防止できる。このため、複数の子装置（無線装置）の計時機能を信頼性高く同期させることができ、計時機能に基づくデータ処理や時分割通信処理を信頼性高いものとすることができる。例えば、子装置を、各種のデータロガーとした場合にはそれぞれのデータの履歴を信頼性高い計時機能に基づくものとすることができる。
【図面の簡単な説明】
【０１０９】
【図１】本発明の実施の形態による無線システムの概略図。
【図２】本発明の実施の形態による無線システムの親装置のブロック図。
【図３】本発明の実施の形態による無線システムの子装置が無線ＩＣタグである場合のブロック図。
【図４】本発明の実施の形態による無線システムの子装置の計時機能を中心とするブロック図。
【図５】本発明の実施の形態による無線システムの時刻修正用の時刻情報のダウンリンク時の時間割当てを示すタイムチャート。
【図６】本発明の実施の形態による無線システムの子装置の受信情報のアップリンク時の時間割当てを示すタイムチャート。
【図７】本発明の実施の形態による無線システムの子装置がＰＤＡである場合のブロック図。
【符号の説明】
【０１１０】
１                  無線システム
２                  親装置
３Ａ、３Ｂ、３Ｃ    子装置
３２                受信器
３３                制御部
３７Ａ              ランク制御部
３８                送信器
６１                電波強度測定部
６２                電波強度記憶部
６３                異常電波判別部
６４                異常状態通報部
６５                履歴記憶部
【図１】
2005337990.tif 000003
【図２】
2005337990.tif 000004
【図３】
2005337990.tif 000005
【図４】
2005337990.tif 000006
【図５】
2005337990.tif 000007
【図６】
2005337990.tif 000008
【図７】
2005337990.tif 000009